(57)【要約】【課題】軽量な個別のゲージブリッジコネクタを使用した、金属製スタッドとブリッジ部材との接続体を提供する。【解決手段】ブリッジコネクタは、涙滴状の接合切込み及び長手方向にオフセットした接合切込みを有し、当該切込みによって、金属製スタッドのウェブをより効果的に締める。さらに、壁スタッドの中央ウェブに対する改善された多数の接合点を有するブリッジコネクタを採用することによって、接続体の性能が向上する。また、対応フランジを有するブリッジコネクタを採用し、当該フランジの端部は、さらなる接合の向上のために、壁スタッドの中央ウェブとしっかりと接合することによって、接続体の性能が向上する。【選択図】図１
2019019667.tif 000002
【特許請求の範囲】
【請求項１】
建造物接続体（１）において、
ａ．略垂直な壁スタッド（２）であって、
ｉ．開口部（８）と、第１側面（６）と、対向する第２側面（６）と、を有する中央ウェブ（３）と、
ｉｉ．前記中央ウェブ（３）に対して一体的に取り付けられる第１側部フランジ（９）と、
ｉｉｉ．前記中央ウェブ（３）に対して一体的に取り付けられる第２側部フランジ（９）と、を有する壁スタッド（２）と、
ｂ．前記壁スタッド（２）の中央ウェブ（３）における前記開口部（８）を貫通する、略水平な溝状のブリッジ部材（１１）と、
ｃ．前記壁スタッド（２）の中央ウェブ（３）に当接し、前記ブリッジ部材（１１）に対して締結されるブリッジコネクタ（１９）であって、
ｉ．第１本体部（２０）であって、
（ａ）第１内側縁部（２３）と、
（ｂ）前記第１内側縁部（２３）及び第１境界屈曲部（３３）によって少なくとも部分的に境界される、中央部（１１１）と、
（ｃ）前記第１境界屈曲部（３３）に沿って前記中央部（１１１）に対して連結される第１側部フランジ（３５）であって、前記壁スタッド（２）の中央ウェブ（３）の第１側面（６）に当接する第１内側端縁部（１０３）を有し、前記第１内側端縁部（１０３）は、前記第１本体部（２０）の第１内側縁部（２３）と少なくとも部分的に一致する、第１側部フランジ（３５）と、有する第１本体部（２０）と、
ｉｉ．第２内側縁部（２３）を有する第２本体部（２０）と、
ｉｉｉ．前記第１本体部（２０）の第１内側縁部（２３）の一部と少なくとも部分的に一致する第１縁部（１３６）を有する第１ウェブ接合切込み（１３４）であって、前記第１縁部（１３６）は、前記第１縁部（１３６）が第２縁部（１３６）に連結する第１最内点（１３７）から延び、前記第１縁部（１３６）は、前記第１最内点（１３７）から前記第１側部フランジ（３５）に向かって延び、前記第２縁部（１３６）は、前記第２本体部（２０）の第２内側縁部（２３）の一部と少なくとも部分的に一致し、前記第２縁部（１３６）は、前記第１最内点（１３７）から延び、前記中央ウェブ（３）の対向する第２側面（６）と少なくとも部分的に並んで延び、
（ａ）前記第１縁部（１３６）の一部は、前記壁スタッド（２）の中央ウェブ（３）から離れて弧を描き、前記壁スタッド（２）の中央ウェブ（３）に向かって開口し、前記中央ウェブ（３）に対して当接しない、略楕円弧状の縁部（１３８）を規定する、第１ウェブ接合切込み（１３４）と、
ｉｖ．前記第２本体部（２０）に対して前記第１本体部（２０）を連結するネック（３２）と、を備えるブリッジコネクタ（１９）と、
を備える建造物接続体（１）。
【請求項２】
ａ．前記略楕円弧状の縁部（１３８）は、前記第１境界屈曲部（３３）と少なくとも部分的に一致する、請求項１に記載の建造物接続体（１）。
【請求項３】
前記ブリッジコネクタ（１９）は、
ａ．前記第１本体部（２０）の第１内側縁部（２３）の一部と少なくとも部分的に一致する第３縁部（１３６）を有する第２ウェブ接合切込み（１３４）であって、前記第３縁部（１３６）は、前記第３縁部（１３６）が第４縁部（１３６）に連結する第２最内点（１３７）から延び、前記第４縁部（１３６）は、前記第２本体部（２０）の第２内側縁部（２３）の一部と少なくとも部分的に一致し、前記第４縁部（１３６）は、前記第２最内点（１３７）から延び、前記中央ウェブ（３）の対向する第２側面（６）と少なくとも部分的に並んで延びる、第２ウェブ接合切込み（１３４）をさらに備え、
ｉ．前記ネック（３２）は、前記第１及び第２ウェブ接合切込み（１３４）の間において前記第２本体部（２０）に対して前記第１本体部（２０）を連結する、請求項１に記載の建造物接続体（１）。
【請求項４】
前記ブリッジコネクタ（１９）の第１本体部（２０）は、
ａ．前記第１本体部（２０）の中央部（１１１）を境界する第３境界屈曲部（３３）と、前記第３境界屈曲部（３３）に沿って前記中央部（１１１）に対して連結される第３側部フランジ（３５）と、をさらに備え、前記第３側部フランジ（３５）は、前記壁スタッド（２）の中央ウェブ（３）の第１側面（６）に当接する第３内側端縁部（１０３）を有し、前記第３内側端縁部（１０３）は、前記第１本体部（２０）の第１内側縁部（２３）と少なくとも部分的に一致する、請求項３に記載の建造物接続体（１）。
【請求項５】
ａ．前記第２ウェブ接合切込み（１３４）の第３縁部（１３６）の一部は、前記壁スタッド（２）の中央ウェブ（３）から離れて弧を描き、前記壁スタッド（２）の中央ウェブ（３）に向かって開口し、前記中央ウェブ（３）に対して当接しない、略楕円弧状の縁部（１３８）を規定する、請求項４に記載の建造物接続体（１）。
【請求項６】
ａ．前記略楕円弧状の縁部（１３８）は、前記第３境界屈曲部（３３）と少なくとも部分的に一致する、請求項５に記載の建造物接続体（１）。
【請求項７】
ａ．前記ブリッジコネクタ（１９）の第２本体部（２０）は、
ｉ．前記第２内側縁部（２３）及び第２境界屈曲部（３３）によって少なくとも部分的に境界される、中央部（１１１）と、
ｉｉ．前記第２境界屈曲部（３３）に沿って前記中央部（１１１）に対して連結される第２側部フランジ（３５）であって、前記壁スタッド（２）の中央ウェブ（３）の対向する第２側面（６）に当接する第２内側端縁部（１０３）を有し、前記第２内側端縁部（１０３）は、前記第２本体部（２０）の第２内側縁部（２３）と少なくとも部分的に一致し、前記第２縁部（１３６）は、前記第１最内点（１３７）から前記第２側部フランジ（３５）に延びる、第２側部フランジ（３５）と、をさらに備える、請求項１に記載の建造物接続体（１）。
【請求項８】
ａ．前記第１側部フランジ（３５）の第１内側端縁部（１０３）は、前記第２縁部（１３６）の一部と少なくとも部分的に一致し、前記第２内側端縁部（１０３）は、前記壁スタッドの中央ウェブ（３）に対して当接する前記第１縁部（１３６）の唯一の部分であり、
ｂ．前記第２側部フランジ（３５）の第２内側端縁部（１０３）は、前記第２縁部（１３６）の一部と少なくとも部分的に一致し、前記第２内側端縁部（１０３）は、前記壁スタッドの中央ウェブ（３）に対して当接する前記第２縁部（１３）の唯一の部分である、請求項７に記載の建造物接続体（１）。
【請求項９】
ａ．前記ブリッジコネクタ（１９）の前記第２本体部（２０）は、前記第２本体部（２０）の中央部（１１１）を境界する第４境界屈曲部（３３）と、前記第４境界屈曲部（３３）に沿って前記中央部（１１１）に対して連結される第４側部フランジ（３５）と、をさらに備え、前記第４側部フランジ（３５）は、前記壁スタッド（２）の中央ウェブ（３）の対向する第２側面（６）に当接する第４内側端縁部（１０３）を有し、前記第４内側端縁部（１０３）は、前記第２本体部（２０）の第２内側縁部（２３）と少なくとも部分的に一致し、前記第４縁部（１３６）は、前記第２最内点（１３７）から前記第４側部フランジ（３５）に向かって延びる、請求項８に記載の建造物接続体（１）。
【請求項１０】
ａ．前記第３側部フランジ（３５）の第３内側端縁部（１０３）は、前記第３縁部（１３６）の一部と少なくとも部分的に一致し、前記第３内側端縁部（１０３）は、前記壁スタッドの中央ウェブ（３）に対して当接する前記第３縁部（１３６）の唯一の部分であり、
ｂ．前記第４側部フランジ（３５）の第４内側端縁部（１０３）は、前記第４縁部（１３６）の一部と少なくとも部分的に一致し、前記第４端縁部（１０３）は、前記壁スタッドの中央ウェブ（３）に対して当接する前記第４縁部（１３６）の唯一の部分である、請求項９に記載の建造物接続体（１）。
【請求項１１】
ａ．前記ブリッジコネクタ（１９）の第１及び第２側部フランジ（３５）における前記第１及び第２内側端縁部（１０３）の一方は、前記第１及び第２内側縁部（１０３）の他方に比べて前記壁スタッド（２）の中央ウェブ（３）における前記開口部（８）に近接する、請求項１０に記載の建造物接続体（１）。
【請求項１２】
ｂ．前記ブリッジコネクタ（１９）の第３及び第４側部フランジ（３５）における前記第３及び第４内側端縁部（１０３）の一方は、前記第３及び第４内側縁部（１０３）の他方に比べて前記壁スタッド（２）の中央ウェブ（３）における前記開口部（８）に近接する、請求項１１に記載の建造物接続体（１）。
【請求項１３】
ａ．前記ブリッジコネクタ（１９）の第１側部フランジ（３５）は、前記ブリッジ部材（１１）に対して接合し、
ｂ．前記ブリッジコネクタ（１９）の第２側部フランジ（３５）は、前記ブリッジ部材（１１）に対して接合し、
ｃ．前記ブリッジコネクタ（１９）の第３側部フランジ（３５）は、前記ブリッジ部材（１１）に対して接合し、
ｄ．前記ブリッジコネクタ（１９）の第４側部フランジ（３５）は、前記ブリッジ部材（１１）に対して接合する、請求項１に記載の建造物接続体（１）。
【請求項１４】
ａ．前記ブリッジコネクタ（１９）の第１側部フランジ（３５）及び前記ブリッジ部材（１１）は、少なくとも部分的に非平行であり、
ｂ．前記ブリッジコネクタ（１９）の第２側部フランジ（３５）及び前記ブリッジ部材（１１）は、少なくとも部分的に非平行であり、
ｃ．前記ブリッジコネクタ（１９）の第３側部フランジ（３５）及び前記ブリッジ部材（１１）は、少なくとも部分的に非平行であり、
ｄ．前記ブリッジコネクタ（１９）の第４側部フランジ（３５）及び前記ブリッジ部材（１１）は、少なくとも部分的に非平行である、請求項１３に記載の建造物接続体（１）。
【請求項１５】
ａ．前記ブリッジコネクタ（１９）の第１側部フランジ（３５）は、前記ブリッジ部材（１１）に対向する第１内面（３７）を有し、前記第１側部フランジ（３５）の第１内面（３７）は、曲線凸部であり、前記第１側部フランジ（３５）の第１内面（３７）は、前記ブリッジ部材（１１）に対して接合し、
ｂ．前記ブリッジコネクタ（１９）の第２側部フランジ（３５）は、前記ブリッジ部材（１１）に対向する第２内面（３７）を有し、前記第２側部フランジ（３５）の第２内面（３７）は、曲線凸部であり、前記第２側部フランジ（３５）の第２内面（３７）は、前記ブリッジ部材（１１）に対して接合し、
ｃ．前記ブリッジコネクタ（１９）の第３側部フランジ（３５）は、前記ブリッジ部材（１１）に対向する第３内面（３７）を有し、前記第３側部フランジ（３５）の第３内面（３７）は、曲線凸部であり、前記第３側部フランジ（３５）の第３内面（３７）は、前記ブリッジ部材（１１）に対して接合し、
ｄ．前記ブリッジコネクタ（１９）の第４側部フランジ（３５）は、前記ブリッジ部材（１１）に対向する第４内面（３７）を有し、前記第４側部フランジ（３５）の第４内面（３７）は、曲線凸部であり、ここにおいて、前記第４側部フランジ（３５）の第４内面（３７）は、前記ブリッジ部材（１１）に対して接合する、請求項１４に記載の建造物接続体（１）。
【請求項１６】
前記ブリッジコネクタ（１９）は、１つの締め具（８１）のみで前記ブリッジ部材（１１）に対して締結される、請求項１に記載の建造物接続体（１）。
【請求項１７】
前記第１本体部（２０）及び第２本体部（２０）は、１つの補強隆起部（１３２）を共有する、請求項１に記載の建造物接続体（１）。
【請求項１８】
前記１つの補強隆起部（１３２）は、八角形である、請求項１７に記載の建造物接続体（１）。
【請求項１９】
ブリッジコネクタを形成する方法において、
ａ．板金ブランク（１３１）を選択する工程と、
ｂ．ブリッジコネクタ（１９）の外縁輪郭部（１３３）を実質的に切断する工程であって、前記外縁輪郭部（１３３）は、
ｉ．細長い第１ウェブ接合切込み（１３４）であって、
（ａ）第１最内点（１３７）から延びる第１縁部（１３６）と、前記最内点（１３７）から延びる第２縁部（１３６）と、を有し、前記第１縁部（１３６）の大部分及び前記第２縁部（１３６）の大部分は、互いに平行である、細長い第１ウェブ接合切込み（１３４）と、
ｉｉ．ネック（３２）によって連結される第１本体部（２０）及び第２本体部（２０）であって、
（ａ）前記第１本体部（２０）は、前記細長い第１ウェブ接合切込み（１３４）の第１縁部（１３６）と少なくとも部分的に一致する第１内側縁部（２３）によって境界される中央部（１１１）を有し、
（ｂ）前記第２本体部（２０）は、前記細長い第１ウェブ接合切込み（１３４）の第２縁部（１３６）と少なくとも部分的に一致する第２内側縁部（２３）によって境界される中央部（１１１）を有する、第１本体部（２０）及び第２本体部（２０）と、を備える、工程と、
ｃ．前記第１本体部（２０）の第１の部分を屈曲することによって、第１境界屈曲部（３３）と、前記第１境界屈曲部（３３）に沿って前記第１本体部（２０）の中央部（１１１）に対して連結される第１側部フランジ（３５）と、を形成する工程であって、
ｉ．前記第１境界屈曲部（３３）と少なくとも部分的に一致する、前記細長い第１ウェブ接合切込み（１３４）の第１縁部（１３６）の一部は、前記細長い第１ウェブ接合切込み（１３４）の第２縁部（１３６）から離れて弧を描き、前記細長い第１ウェブ接合切込み（１３４）の第２縁部（１３６）に向かって開口する略楕円弧状の縁部（１３８）を規定することによって、前記第１縁部（１３６）の大部分及び前記第２縁部（１３６）の大部分が互いに平行ではなくなる、工程と、を含む方法。
【請求項２０】
中央補強隆起部（１３２）を張り出す工程をさらに含む、請求項１９に記載の方法。
【請求項２１】
前記板金ブランク（１３１）において１つ又は複数の締結開口部（８２）を開ける工程をさらに含む、請求項１９に記載の方法。
【請求項２２】
前記ブリッジコネクタ（１９）の外縁輪郭部（１３３）において細長い第２ウェブ接合切込み（１３４）を形成する工程をさらに含み、
前記細長い第２ウェブ接合切込み（１３４）は、
ａ．第２最内点（１３７）から延びる第３縁部（１３６）と、前記第２最内点（１３７）から延びる第４縁部（１３６）と、を有し、前記第３縁部（１３６）の大部分及び前記第４縁部（１３６）の大部分は、互いに平行である、請求項１９に記載の方法。
【請求項２３】
前記細長い第１ウェブ接合切込み（１３４）と前記細長い第２ウェブ接合切込み（１３４）との間に前記ネック（３２）を形成する工程をさらに含む、請求項２２に記載の方法。
【請求項２４】
前記第１本体部（２０）の第２の部分を屈曲することによって、第３境界屈曲部（３３）と、前記第３境界屈曲部（３３）に沿って前記第１本体部（２０）の中央部（１１１）に対して連結される第３側部フランジ（３５）と、を形成する工程をさらに含み、
ｉ．前記第３境界屈曲部（３３）と少なくとも部分的に一致する、前記細長い第２ウェブ接合切込み（１３４）の第３縁部（１３６）の一部は、前記細長い第２ウェブ接合切込み（１３４）の第４縁部（１３６）から離れて弧を描き、前記細長い第２ウェブ接合切込み（１３４）の第４縁部（１３６）に向かって開口する略楕円弧状の縁部（１３８）を規定する、請求項２３に記載の方法。
【請求項２５】
前記第２本体部（２０）の第１の部分を屈曲することによって、第２境界屈曲部（３３）と、前記第２境界屈曲部（３３）に沿って前記第２本体部（２０）の中央部（１１１）に対して連結される第２側部フランジ（３５）と、を形成する工程をさらに含む、請求項２４に記載の方法。
【請求項２６】
前記第２本体部（２０）の第２の部分を屈曲することによって、第４境界屈曲部（３３）と、前記第４境界屈曲部（３３）に沿って前記第２本体部（２０）の中央部（１１１）に対して連結される第４側部フランジ（３５）と、を形成する工程をさらに含む、請求項２５に記載の方法。
【請求項２７】
建造物接続体（１）において、
ａ．略垂直な壁スタッド（２）であって、
ｉ．開口部（８）と、第１側面（６）と、対向する第２側面（６）と、を有する中央ウェブ（３）と、
ｉｉ．前記中央ウェブ（３）に対して一体的に取り付けられる第１側部フランジ（９）と、
ｉｉｉ．前記中央ウェブ（３）に対して一体的に取り付けられる第２側部フランジ（９）と、を有する壁スタッド（２）と、
ｂ．前記壁スタッド（２）の中央ウェブ（３）における前記開口部（８）を貫通する、略水平な溝状のブリッジ部材（１１）と、
ｃ．前記壁スタッド（２）の中央ウェブ（３）に当接し、前記ブリッジ部材（１１）に対して締結されるブリッジコネクタ（１９）であって、
ｉ．第１本体部（２０）であって、
（ａ）第１内側縁部（２３）及び第１外側縁部（１０１）と、
（ｂ）前記第１内側縁部（２３）及び第１境界屈曲部（３３）によって少なくとも部分的に境界される、中央部（１１１）と、を有する第１本体部（２０）と、
ｉｉ．第２内側縁部（２３）と、第２外側縁部（１０１）と、を有する第２本体部（２０）と、
ｉｉｉ．前記第１本体部（２０）の第１内側縁部（２３）の一部と少なくとも部分的に一致する第１縁部（１３６）を有する第１ウェブ接合切込み（１３４）であって、前記第１縁部（１３６）は、前記第１縁部（１３６）が第２縁部（１３６）に連結する第１最内点（１３７）から延び、前記第１縁部（１３６）は、前記第１最内点（１３７）から前記第１側部フランジ（３５）に向かって延び、前記第２縁部（１３６）は、前記第２本体部（２０）の第２内側縁部（２３）の一部と少なくとも部分的に一致し、前記第２縁部（１３６）は、前記第１最内点（１３７）から延び、前記第２縁部（１３６）は、前記中央ウェブ（２）の対向する第２側面（６）に対向する、第１ウェブ接合切込み（１３４）と、
ｉｖ．前記第１本体部（２０）の第１内側縁部（２３）の一部と少なくとも部分的に一致する第３縁部（１３６）を有する第２ウェブ接合切込み（１３４）であって、前記第３縁部（１３６）は、前記第３縁部（１３６）が第４縁部（１３６）に連結する第２最内点（１３７）から延び、前記第４縁部（１３６）は、前記第２本体部（２０）の第２内側縁部（２３）の一部と少なくとも部分的に一致し、前記第４縁部（１３６）は、前記第２最内点（１３７）から延び、前記第３縁部（１３６）は、前記中央ウェブ（２）の第１側面（６）に対向し、前記第４縁部（１３６）は、前記中央ウェブ（３）の対向する第２側面（６）に対向する、第２ウェブ接合切込み（１３４）と、
ｉ．前記第１及び第２ウェブ接合切込み（１３４）の間において、前記第２本体部（２０）に対して前記第１本体部（２０）を連結するネック（３２）と、を備えるブリッジコネクタ（１９）と、を備え、
（ａ）前記第１及び第２ウェブ接合切込み（１３４）は、前記第１ウェブ接合切込み（１３４）が、前記第２ウェブ接合切込み（１３４）よりも前記第１外側縁部（１０１）に近接し、前記第２ウェブ接合切込み（１３４）が、前記第１ウェブ接合切込み（１３４）よりも前記第２外側縁部（１０１）に近接するように、長手方向にオフセットすることによって、前記略垂直の壁スタッド（２）の中央ウェブ（３）が、摩擦係合が増大した状態で、前記第１及び第２ウェブ接合切込み（１３４）によって保持される、建造物接続体（１）。
【請求項２８】
建造物接続体（１）において、
ａ．略垂直な壁スタッド（２）であって、
ｉ．開口部（８）と、第１側面（６）と、対向する第２側面（６）と、を有する中央ウェブ（３）と、
ｉｉ．前記中央ウェブ（３）に対して一体的に取り付けられる第１側部フランジ（９）と、
ｉｉｉ．前記中央ウェブ（３）に対して一体的に取り付けられる第２側部フランジ（９）と、を有する壁スタッド（２）と、
ｂ．前記壁スタッド（２）の中央ウェブ（３）における前記開口部（８）を貫通する、略水平な溝状のブリッジ部材（１１）と、
ｃ．前記壁スタッド（２）の中央ウェブ（３）に当接し、前記ブリッジ部材（１１）に対して締結されるブリッジコネクタ（１９）であって、
ｉ．第１本体部（２０）であって、
（ａ）第１内側縁部（２３）と、
（ｂ）前記第１内側縁部（２３）及び第１境界屈曲部（３３）によって少なくとも部分的に境界される、中央部（１１１）と、
（ｃ）前記第１境界屈曲部（３３）に沿って前記中央部（１１１）に対して連結される第１側部フランジ（３５）であって、前記壁スタッド（２）の中央ウェブ（３）の第１側面（６）に当接する第１内側端縁部（１０３）を有し、前記第１内側端縁部（１０３）は、前記第１本体部（２０）の第１内側縁部（２３）と少なくとも部分的に一致する、第１側部フランジ（３５）と、を有する第１本体部（２０）と、
ｉｉ．第２本体部（２０）であって、
（ａ）第２内側縁部と、
（ｂ）前記第２内側縁部（２３）及び第２境界屈曲部（３３）によって少なくとも部分的に境界される、中央部（１１１）と、
（ｃ）前記第２境界屈曲部（３３）に沿って前記中央部（１１１）に対して連結される第２側部フランジ（３５）であって、前記壁スタッド（２）の中央ウェブ（３）に当接する第２内側端縁部（１０３）を有し、前記第２内側端縁部（１０３）は、前記第２本体部（２０）の第２内側縁部（２３）と少なくとも部分的に一致する、第２側部フランジ（３５）と、を有する第２本体部（２０）と、
ｉｉｉ．前記第１本体部（２０）の第１内側縁部（２３）の一部と少なくとも部分的に一致する第１縁部（１３６）を有する第１ウェブ接合切込み（１３４）であって、前記第１縁部（１３６）は、前記第１縁部（１３６）が第２縁部（１３６）に連結する第１最内点（１３７）から延び、前記第１縁部（１３６）は、前記第１最内点（１３７）から前記第１側部フランジ（３５）に向かって延び、前記第２縁部（１３６）は、前記第２本体部（２０）の第２内側縁部（２３）の一部と少なくとも部分的に一致し、前記第２縁部（１３６）は、前記第１最内点（１３７）から延び、前記中央ウェブ（３）の対向する第２側面（６）と少なくとも部分的に並んで延び、
（ａ）前記第１縁部（１３６）の一部は、前記壁スタッド（２）の中央ウェブ（３）から離れて弧を描き、前記壁スタッド（２）の中央ウェブ（３）に向かって開口し、前記中央ウェブ（３）に当接しない、略楕円弧状の縁部１３８を規定し、
（ｂ）前記第１側部フランジ（３５）の第１内側端縁部（１０３）は、前記第１縁部（１３６）の一部と少なくとも部分的に一致し、前記第１内側端縁部（１０３）は、前記壁スタッドの中央ウェブ（３）に対して当接する前記第１縁部（１３６）の唯一の部分であり、
（ｃ）前記第２側部フランジ（３５）の第２内側端縁部（１０３）は、前記第２縁部（１３６）の一部と少なくとも部分的に一致し、前記第２内側端縁部（１０３）は、前記壁スタッドの中央ウェブ（３）に対して当接する前記第２縁部（１３）の唯一の部分である、第１ウェブ接合切込み（１３４）と、
ｉｖ．前記第２本体部（２０）に対して前記第１本体部（２０）を連結するネック（３２）と、を備えるブリッジコネクタ（１９）と、を備える建造物接続体（１）。
【請求項２９】
ａ．前記略楕円弧状の縁部（１３８）は、前記第１境界屈曲部（３３）と少なくとも部分的に一致する、請求項２８に記載の建造物接続体（１）。
【請求項３０】
前記ブリッジコネクタ（１９）は、
ａ．前記第１本体部（２０）の第１内側縁部（２３）の一部と少なくとも部分的に一致する第３縁部（１３６）を有する第２ウェブ接合切込み（１３４）であって、前記第３縁部（１３６）は、前記第３縁部（１３６）が第４縁部（１３６）に連結する第２最内点（１３７）から延び、前記第４縁部（１３６）は、前記第２本体部（２０）の第２内側縁部（２３）の一部と少なくとも部分的に一致し、前記第４縁部（１３６）は、前記第２最内点（１３７）から延びる、第２ウェブ接合切込み（１３４）をさらに備え、
ｉ．前記ネック（３２）は、前記第１及び第２ウェブ接合切込み（１３４）の間において、前記第２本体部（２０）に対して前記第１本体部（２０）を連結する、請求項２８に記載の建造物接続体（１）。
【請求項３１】
前記ブリッジコネクタ（１９）の第１本体部（２０）は、前記第１本体部（２０）の中央部（１１１）を境界する第３境界屈曲部（３３）と、前記第３境界屈曲部（３３）に沿って前記中央部（１１１）に対して連結される第３側部フランジ（３５）と、をさらに備え、前記第３側部フランジ（３５）は、前記壁スタッド（２）の中央ウェブ（３）に当接する第３内側端縁部（１０３）を有し、前記第３内側端縁部（１０３）は、前記第１本体部（２０）の第１内側縁部（２３）と少なくとも部分的に一致する、請求項３０に記載の建造物接続体（１）。
【請求項３２】
ａ．前記第２ウェブ接合切込み（１３４）の第３縁部（１３６）の一部は、前記壁スタッド（２）の中央ウェブ（３）から離れて弧を描き、前記壁スタッド（２）の中央ウェブ（３）に向かって開口し、前記中央ウェブ（３）に対して当接しない、略楕円弧状の縁部（１３８）を規定する、請求項３０に記載の建造物接続体（１）。
【請求項３３】
ａ．前記略楕円弧状の縁部（１３８）は、前記第３境界屈曲部（３３）と少なくとも部分的に一致する、請求項１に記載の建造物接続体（１）。
【請求項３４】
ａ．前記ブリッジコネクタ（１９）の前記第２本体部（２０）は、前記第２本体部（２０）の中央部（１１１）を境界する第４境界屈曲部（３３）と、前記第４境界屈曲部（３３）に沿って前記中央部（１１１）に対して連結される第４側部フランジ（３５）と、をさらに備え、前記第４側部フランジ（３５）は、前記壁スタッド（２）の中央ウェブ（３）に当接する第４内側端縁部（１０３）を有し、前記第４内側端縁部（１０３）は、前記第２本体部（２０）の第２内側縁部（２３）と少なくとも部分的に一致する、請求項３２に記載の建造物接続体（１）。
【請求項３５】
ａ．前記第３側部フランジ（３５）の第３内側端縁部（１０３）は、前記第３縁部（１３６）の一部と少なくとも部分的に一致し、前記第３内側端縁部（１０３）は、前記壁スタッドの中央ウェブ（３）に対して当接する前記第３縁部（１３６）の唯一の部分であり、
ｂ．前記第４側部フランジ（３５）の第４内側端縁部（１０３）は、前記第４縁部（１３６）の一部と少なくとも部分的に一致し、前記第４内側端縁部（１０３）は、前記壁スタッドの中央ウェブ（３）に対して当接する前記第４縁部（１３）の唯一の部分である、請求項３２に記載の建造物接続体（１）。
【請求項３６】
ａ．前記ブリッジコネクタ（１９）の第１及び第２側部フランジ（３５）における前記第１及び第２内側端縁部（１０３）の一方は、前記第１及び第２内側縁部（１０３）の他方に比べて前記壁スタッド（２）の中央ウェブ（３）における前記開口部（８）に近接する、請求項３２に記載の建造物接続体（１）。
【請求項３７】
ｂ．前記ブリッジコネクタ（１９）の第３及び第４側部フランジ（３５）における前記第３及び第４内側端縁部（１０３）の一方は、前記第３及び第４内側縁部（１０３）の他方に比べて前記壁スタッド（２）の中央ウェブ（３）における前記開口部（８）に近接する、請求項３４に記載の建造物接続体（１）。
【発明の詳細な説明】
【技術分野】
【０００１】
本発明は、鋼製スタッド建築壁用システムに関し、特に、鋼製スタッドを固定することによって、当該システムにおける側方からの動き及びねじれを防止する装置に関する。
【背景技術】
【０００２】
多数の工業用建造物、並びに、増加傾向にある居住用建造物は、種々の理由から、鋼製スタッド壁組を使用して建設されている。鉄骨造は、耐火性を有し、歪曲せず、寄生されず、腐朽しない。任意の種類のスタッド、木材、又は鋼で壁を建築するときに、スタッドを、互いに連続して、側方からの動き及びねじれに抗うように固定されることが、一般的に望まれている。木製スタッド壁においては、通常、短い木製ブロック片が、隣接するスタッド組に対して釘付けされることによって、当該スタッド組を固定する。鋼製スタッド壁においては、通常、細長い鋼製のブリッジ部材が、一続きの垂直スタッドに予め開けられた開口部に水平に挿入されることによって、当該垂直スタッドが互いに位置合わせされる。鋼製スタッドは、直線状である場合には、優れた柱強度を有するが、湾曲している場合には、当該強度の大部分が失われる。鋼製スタッドは特にねじれの影響を受けやすいため、通常溝状であり、水平ウェブと２つの垂直側部フランジとを有するブリッジ部材は、最大のトルク抵抗を得るために、垂直スタッドにおける開口に対して密接に嵌合するように形成されている。機械トルクに加えて、防火帯として機能する乾式壁被覆材の破壊時に、金属製スタッドは、火災の熱に対して湾曲又は屈曲する。金属製スタッドが湾曲又は屈曲するときに、耐荷力を失い、火災による直接的な被害が拡大する。
【０００３】
開口部においてしっかりと支えられる溝状ブリッジ部材が、スタッドの湾曲防止に役立つ一方、ある程度の湾曲が起こり、スタッドが、壁に対して平行にずれるか屈曲する場合がある。単に直角の板金ブラケットから始まり、各種板金ブラケットが上述のずれ又は屈曲を防止するように設計されている。従来のブラケットは、全て、設置に比較的大きな労働力を要し、当該ブラケットの全ての接続体は、比較的弱い。例えば、単に直角のブラケットを用いて、設置者は、ブラケットの水平脚部をブリッジ部材上に設置し、ブラケットの垂直脚部を壁スタッドのウェブに対して設置する。ねじを両方の脚部に対して挿入することによって、ブラケットをブリッジ部材及びスタッドに対して取り付ける。ブラケットは、その機能がねじ接続体に依存し、設置者は、ブラケットを確実且つ正確に設置しなければならない。さらに後の従来技術のブラケットにおいては、この基礎接続体が改良されている。
【０００４】
また、従来技術は、上述の木製ブロック部材のような、短いブリッジ部材を備え、当該ブリッジ部材は、隣接するスタッドのみに架かり、壁スタッドの締結用に構成された端部を有するが、これらのブリッジ部材は、比較的高額である。これは、以下の理由による：ブリッジ部材が上述の端部を形成するための付加的な材料を使用する；ブリッジ部材が多数の締め具を要する；ブリッジ部材の長さを固定する必要があるため、２つの任意のスタッド間の間隔が基準とは異なる場合に不要となる。
【０００５】
さらに、従来技術は、壁スタッドウェブの開口部に合うように設計される一続きのスロットを有する、細長いブリッジ部材を備えるが、これらのブリッジ部材による接続が比較的弱く、スタッド間の種々の間隔に適合しないという問題がある。
【０００６】
本発明は、従来技術のブラケットに比べて材料が少なく、少ない数の締め具を使用して早く且つより容易に設置され、従来技術に比べて強固であり、側方荷重及びトルク荷重の両方に良好に耐える接続体を構成する、ブラケットを提供することを目的とする。特に、本発明は、外側構造壁を構成するために使用される部材と比べて軽量且つ小さい構造部材を使用する内側乾式壁用枠体に非常に適している。
【発明の概要】
【課題を解決するための手段】
【０００７】
本発明は、ブリッジ部材と共に建築壁用鋼製スタッドをしっかりと接続及び固定するコネクタを提供し、当該コネクタは、コネクタが設置されるウェブ開口部の縁部から離れてさらにしっかりとウェブと接合するために、壁スタッドの中央ウェブから離れて弧を描く切込みを有するブリッジコネクタを採用する。
【０００８】
本発明は、壁スタッドの中央ウェブに対する改善された多数の接合点を有するブリッジコネクタを採用することによって、接続体の性能が向上する。
【０００９】
本発明は、対応フランジを有するブリッジコネクタを採用し、当該フランジの端部は、さらなる接合の向上のために、壁スタッドの中央ウェブとしっかりと接合することによって、接続体の性能が向上する。
【００１０】
本発明は、接合縁部を有するブリッジコネクタを採用し、当該接合縁部は、壁スタッドの中央ウェブを介して直接的に対向せず、結果として、接合が向上し、接続体の性能が向上する。
【００１１】
本発明は、八角形の補強隆起部を有するブリッジコネクタを採用し、当該補強隆起部によって、それを有しない場合よりも軽い材料からコネクタを形成可能である。
【００１２】
本発明は、側部フランジを屈曲させることによって形成される円弧状の縁部を有する切込みを形成する工程を含む、ブリッジコネクタの作成方法を採用することによって、当該方法が簡略化され、より安価でブリッジコネクタを形成可能となる。
【００１３】
本発明は、壁スタッドの中央ウェブとのさらに堅い接合をもたらす、長手方向にオフセットする切込みを有するブリッジコネクタを採用することによって、接続体の性能が向上する。
【００１４】
本発明は、ブリッジ部材と共に建築壁用鋼製スタッドをしっかりと接続及び固定するコネクタを提供する。ブリッジ部材は、壁部における数個のスタッドのそれぞれにおける開口部を貫通する。ブリッジ部材は、スタッドを貫通して設置されるときに、壁の長さに沿ってスタッドを一直線に保持するように設計されている。
【００１５】
本発明は、壁スタッドのウェブに対して係合することによって優れたねじり剛性を提供する縁部を有するコネクタを提供する。縁部は、コネクタの本体板によってブレーシングされることにより、壁スタッドのウェブに隣接するフランジと比べて大幅に高い負荷に耐えることが可能である。
【００１６】
本発明は、壁スタッドを接続するブリッジ部材の側部に接合し、優れたねじり剛性を提供する縁部又は類似の狭線部を有するコネクタを提供する。これらの狭い接合部は、フランジによってブレーシングされ、当該フランジは、ブリッジ部材の側部と並んで平行に位置する代わりに、ブリッジ部材の側部に交差する。
【００１７】
ブリッジ部材の側部との接合部は、さらに、壁スタッドのウェブに対してフランジの対向する端部をブレーシングすることによってさらに補強され、それにより、傾斜フランジが、ブリッジ部材の側部と壁スタッドのウェブとの間に嵌る。
【００１８】
ブリッジコネクタと、ブリッジ部材と、壁スタッドとの間の係合接続による優れた強度によって、ブリッジ部材に対してブリッジコネクタの本体を取り付ける１つの締め具を使用して、ブリッジコネクタをしっかりと接続可能となる。
【図面の簡単な説明】
【００１９】
【図１】典型的な冷間成形鋼製壁スタッドと、典型的な冷間成形鋼製ブリッジ部材と、本発明に係るブリッジコネクタとの間の接続を示す右上からの正面斜視図である。
【図２】典型的な冷間成形鋼製ブリッジ部材の上方において、典型的な冷間成形鋼製壁スタッドのウェブにおける細長い開口部に挿入される前の、本発明に係るブリッジコネクタを示す右上からの正面斜視図である。
【図３】典型的な冷間成形鋼製ブリッジ部材の上方において、典型的な冷間成形鋼製壁スタッドのウェブにおける細長い開口部に挿入された、本発明に係るブリッジコネクタを示す右上からの正面斜視図である。
【図４】１つ又は複数の個別の締め具でブリッジ部材に対して取り付けられる前の、典型的な冷間成形鋼製壁スタッドのウェブにおける細長い開口部の側部に接合され、典型的な冷間成形鋼製ブリッジ部材上に載置される、本発明に係るブリッジコネクタを示す右上からの正面斜視図である。
【図５】典型的な冷間成形鋼製壁スタッドと、典型的な冷間成形鋼製ブリッジ部材と、本発明の好適な態様に係るブリッジコネクタとの間の接続を示し、ブリッジコネクタの下方のブリッジ部材の一部、ブリッジコネクタの境界フランジの内面、並びに、ブリッジコネクタの側部フランジの内面を仮想線で示す上方からの平面図である。
【図６】典型的な冷間成形鋼製壁スタッドと、典型的な冷間成形鋼製ブリッジ部材と、本発明の好適な態様に係るブリッジコネクタとの間の接続を示す上方からの平面図である。
【図７】本発明の好適な態様に係るブリッジコネクタの左上からの背面斜視図である。
【図８】本発明の好適な態様に係るブリッジコネクタの左下からの背面斜視図である。
【図９】本発明の好適な態様に係るブリッジコネクタの下方からの平面図である。
【図１０】本発明の好適な態様に係るブリッジコネクタの上方からの平面図である。
【図１１】本発明の好適な態様に係るブリッジコネクタの背面立面図である。
【図１２】本発明の好適な態様に係るブリッジコネクタの正面立面図である。
【図１３】本発明の好適な態様に係るブリッジコネクタの左側面立面図である。
【図１４】本発明に係るブリッジコネクタの順送り金型成形段階を示す上方からの平面図である。
【図１５】本発明に係るブリッジコネクタの第１の順送り金型成形段階を示す上方からの平面図である。
【図１６】本発明に係るブリッジコネクタの中間の順送り金型成形段階を示す上方からの平面図である。
【図１７】本発明に係るブリッジコネクタの最後の順送り金型成形段階を示す上方からの平面図である。
【図１８】本発明に係るブリッジコネクタの代替的且つ好適な態様を示す上方からの平面図である。
【図１９】典型的な冷間成形鋼製壁スタッドと、典型的な冷間成形鋼製ブリッジ部材と、本発明の好適な態様に係るブリッジコネクタとの間の接続を示し、ブリッジコネクタの下方のブリッジ部材の一部、ブリッジコネクタの境界フランジの内面、並びに、ブリッジコネクタの側部フランジの内面を仮想線で示す上方からの平面図である。
【図２０】典型的な冷間成形鋼製壁スタッドと、典型的な冷間成形鋼製ブリッジ部材と、本発明の好適な態様に係るブリッジコネクタとの間の接続を示す上方からの平面図である。
【発明を実施するための形態】
【００２０】
図１、図５、図６、図１６、及び図１７に示すように、本発明は、略垂直な壁スタッド２と、略水平なブリッジ部材１１と、ブリッジコネクタ１９との間の建造物接続体１である。壁スタッド２は、通常、建築壁の枠体において連続して配置されるいくつかの冷間成形鋼製スタッド２の１つである。ブリッジ部材１１は、通常、個別の冷間成形鋼製部材であり、複数の壁スタッド２に対して接合され、当該複数の壁スタッド２に架かる。ブリッジコネクタ１９は、好ましくは、冷間成形鋼から形成されるが、アルミニウム等の材料から鋳造されてもよく、別の方法でその他の好適な材料から製造されてもよい。
【００２１】
図１〜図６、図１９及び図２０に示すように、略垂直な壁スタッド２は、好ましくは、中央ウェブ３と、中央ウェブ３に対して一体的に取り付けられる第１側部フランジ９と、中央ウェブ３に対して一体的に取り付けられる第２側部フランジ９と、を有する。中央ウェブ３は、開口部８を有する。内側乾式壁スタッド２における開口部８の最も一般的な形状を図示する。開口部は、２．５インチ（６．３５ｃｍ）の高さを有する。また、図１〜図６、図１６及び図１７に示すように、壁スタッドは、通常、補強フランジ５７を有し、当該補強フランジ５７のそれぞれは、内側縁部５９と、内面６１と、外面６２と、を有する。壁スタッド２の中央ウェブ３は、通常、四辺４を有する。中央ウェブ３の第１及び第２側部フランジ９は、対応する第１及び第２内面５３と、対応する第１及び第２外面５４と、を有する。開口部８は、多くの場合において、垂直方向に細長く、細長い第１及び第２の部分６６と、第１及び第２端部６８と、を有する縁部６５を有する。
【００２２】
図１〜図４に示すように、略水平なブリッジ部材１１は、少なくとも部分的に平面状の中間ウェブ１２と、少なくとも部分的に平面状の第１境界フランジ１７と、少なくとも部分的に平面状の第２境界フランジ１７と、を有する。少なくとも部分的に平面状の中間ウェブ１２は、第１境界１３と、第２境界１３と、内面１５と、外面１６と、を有する。少なくとも部分的に平面状の第１境界フランジ１７は、第１境界１３において、中間ウェブ１２に対して角度をなして連結され、中間ウェブ１２から延びている。第１境界フランジ１７は、内面７１と外面７２とを有する。少なくとも部分的に平面状の第２境界フランジ１７は、第２境界１３において、中間ウェブ１２に対して角度をなして連結され、中間ウェブ１２から延びている。第２境界フランジ１７は、第１境界フランジ１７の内面７１に向かって対向する内面７１と、第１境界フランジ１７の外面７２と反対に向く外面７２と、を有する。ブリッジ部材１１の第１及び第２境界フランジ１７は、それぞれ、互いに平行な第１及び第２外側縁部７５を有する。典型的な乾式壁用枠体への適用時には、ブリッジ部材１１の中間ウェブ１２は、幅０．７５インチ（１．９０５ｃｍ）であり、境界フランジ１７は、高さ０．５インチ（１．２７ｃｍ）である。
【００２３】
図１、図５、図６、図１９、及び図２０に示すように、ブリッジコネクタ１９は、壁スタッド２の中央ウェブ３に当接し、ブリッジ部材１１に対して締結される。好ましくは、ブリッジコネクタ１９は、第１本体部２０と、第２本体部２０と、第１ウェブ接合切込み１３４と、第２本体部２０に対して第１本体部２０を連結するネック３２と、を有する。第１及び第２本体部２０は、対応する第１及び第２内面２１と、対応する第１及び第２外面２２と、を有する。
【００２４】
図１〜図１３及び図１８〜図２０に示すように、第１本体部２０は、好ましくは、第１内側縁部２３と、中央部１１１と、第１側部フランジ３５と、を有する。中央部１１１は、好ましくは、第１内側縁部２３及び第１境界屈曲部３３によって少なくとも部分的に境界される。第１側部フランジ３５は、好ましくは、第１境界屈曲部３３に沿って中央部１１１に対して連結される。第１側部フランジ３５は、壁スタッド２の中央ウェブ３に当接する第１内側端縁部１０３を有する。第１内側端縁部１０３は、第１本体部２０の第１内側縁部２３と少なくとも部分的に一致する。好ましくは、第２本体部２０は、第２内側縁部２３を有する。第１側部フランジ３５は、好ましくは、第１外側端縁部９１と、第１下側縁部９５と、を有する。
【００２５】
図１〜図１０、図１３、及び図１８〜図２０に示すように、好ましくは、第１ウェブ接合切込み１３４は、第１本体部２０の第１内側縁部２３の一部と少なくとも部分的に一致する第１縁部１３６を有する。第１縁部１３６は、第１外側角部１３５から、第１縁部１３６が第２縁部１３６に連結する第１最内点１３７に向かって延び、第１縁部（１３６）は、第１最内点（１３７）から第１側部フランジ（３５）に向かって延びる。第２縁部１３６は、第２本体部２０の第２内側縁部２３の一部と少なくとも部分的に一致する。第２縁部１３６は、第２外側角部１３５から、第１最内点１３７に向かって延び、中央ウェブ３の第２対向面３と少なくとも部分的に並んで延びる。
【００２６】
図５、図６、図９、図１０、図１３、及び図１７に示すように、第１縁部１３６の一部は、好ましくは、第１境界屈曲部３３と少なくとも部分的に一致し、壁スタッド２の中央ウェブ３から離れて弧を描く。第１縁部は、壁スタッド２の中央ウェブ３に向かって開口し、当該中央ウェブ３に対して当接しない、略楕円弧状の縁部１３８を規定する。これは、凹状縁部１３８である。
【００２７】
通常０．０１５〜０．０３４インチ（０．０３８１〜０．０８６３６ｃｍ）の厚さである、内側乾式壁スタッド２の非常に薄い中央ウェブ３に対して完全に係合できるくらい狭いウェブ接合切込み１３４を形成することは、不可能でないにしても困難である。この設計によって、各ウェブ接合切込み１３４の縁部１３６が中央ウェブ３から離れて弧を描くことが可能となり、境界屈曲部３３の輪郭部に従い、対応フランジ３５上で中央ウェブ３に当接するように前方に延びることが可能となる。フランジ３５が僅かに押し戻され、ブリッジコネクタ１９が僅かに変形するように、フランジ３５は、壁スタッド２の中央ウェブ３に対して堅く係合する。このような堅い係合によって、接続体１が向上し、接続体１の壁スタッド２の回転に耐える能力を向上させる。
【００２８】
好ましくは、第１側部フランジ３５の第１内側端縁部１０３は、第１縁部１３６の一部と少なくとも部分的に一致し、第１内側端縁部１０３は、壁スタッドの中央ウェブ３に対して当接する第１縁部１３６の唯一の部分である。好ましくは、第２側部フランジ３５の第２内側端縁部１０３は、第２縁部１３６の一部と少なくとも部分的に一致し、第２内側端縁部１０３は、壁スタッドの中央ウェブ３に対して当接する第２縁部１３の唯一の部分である。第２側部フランジ３５は、好ましくは、第２外側端縁部９１と、第２下側縁部９５と、を有する。
【００２９】
図５〜図７、図９、図１０、及び図１８〜図２０に示すように、ブリッジコネクタ１９は、好ましくは、第２ウェブ接合切込み１３４と、第１及び第２ウェブ接合切込み１３４の間で第２本体部２０に対して第１本体部２０を連結するネック３２と、を有する。第２ウェブ接合切込み１３４は、好ましくは、第１本体部２０の第１内側縁部２３の一部と少なくとも部分的に一致する第３縁部１３６を有する。第３縁部１３６は、第３外側角部１３５から、第３縁部１３６が第４縁部１３６に連結する第２最内点１３７に向かって延びる。第４縁部１３６は、第２本体部２０の第２内側縁部２３の一部と少なくとも部分的に一致する。第４縁部１３６は、第４外側角部１３５から、第２最内点１３７に向かって延び、中央ウェブ３の第２対向側面３と少なくとも部分的に並んで延びる。
【００３０】
図１〜図９及び図１２に示すように、ブリッジコネクタ１９の第１本体部２０は、好ましくは、第３境界屈曲部３３と、第３側部フランジ３５と、を有する。第３境界屈曲部３３は、第１本体部２０の中央部１１１を境界する。第３側部フランジ３５は、第３境界屈曲部３３に沿って中央部１１１に対して連結される。第３側部フランジ３５は、壁スタッド２の中央ウェブ３の第１側面３に当接する第３内側端縁部１０３を有する。第３内側端縁部１０３は、第１本体部２０の第１内側縁部２３と少なくとも部分的に一致する。第１側部フランジ３５は、好ましくは、第３外側端縁部９１と、第３下側縁部９５と、を有する。
【００３１】
好ましくは、第３境界屈曲部３３と少なくとも部分的に一致する、第２ウェブ接合切込み１３４の第３縁部１３６の一部は、壁スタッド２の中央ウェブ３から離れて弧を描き、壁スタッド２の中央ウェブ３に向かって開口し、当該中央ウェブ３に対して当接しない、略楕円弧状の縁部１３８を規定する。
【００３２】
図５〜図９及び図１２に示すように、ブリッジコネクタ１９の第２本体部２０は、好ましくは、中央部１１１と、第３側部フランジ３５と、を有する。中央部１１１は、第２内側縁部２３及び第２境界屈曲部３３によって少なくとも部分的に境界される。第２側部フランジ３５は、第２境界屈曲部３３に沿って中央部１１１に対して連結される。第２側部フランジ３５は、壁スタッド２の中央ウェブ３の第２対向側面６に当接する第２内側端縁部１０３を有する。第２内側端縁部１０３は、第２本体部２０の第２内側縁部２３と少なくとも部分的に一致し、第２縁部１３６は、第１最内点１３７から第２側部フランジ３５に向かって延びる。
【００３３】
図１、図５、図６、図８、図９、及び図１２に示すように、ブリッジコネクタ１９の第２本体部２０は、好ましくは、第４境界屈曲部３３と、第４側部フランジ３５と、を有する。第４境界屈曲部３３は、第２本体部２０の中央部１１１を境界する。第４側部フランジ３５は、第４境界屈曲部３３に沿って中央部１１１に対して連結される。第４側部フランジ３５は、壁スタッド２の中央ウェブ３の第２対向側面６に当接する第４内側端縁部１０３を有する。第４内側端縁部１０３は、第２本体部２０の第２内側縁部２３と少なくとも部分的に一致し、第４縁部１３６は、第２最内点１３７から第４側部フランジまで延びる。第４側部フランジ３５は、好ましくは、第４外側端縁部９１と、第４下側縁部９５と、を有する。
【００３４】
好ましくは、第３側部フランジ３５の第３内側端縁部１０３は、第３縁部１３６の一部と少なくとも部分的に一致し、第３内側端縁部１０３は、壁スタッドの中央ウェブ３に対して当接する第３縁部１３６の唯一の部分である。好ましくは、第４側部フランジ３５の第４内側端縁部１０３は、第４縁部１３６の一部と少なくとも部分的に一致し、第４内側端縁部１０３は、壁スタッドの中央ウェブ３に対して当接する第４縁部１３の唯一の部分である。
【００３５】
好ましくは、ブリッジコネクタ１９の第１及び第２側部フランジ３５における第１及び第２内側端縁部１０３の一方は、第１及び第２内側縁部１０３の他方に比べて壁スタッド２の中央ウェブ３における開口部８に近接する。好ましくは、ブリッジコネクタ１９の第３及び第４側部フランジ３５における第３及び第４内側端縁部１０３の一方は、第３及び第４内側縁部１０３の他方に比べて壁スタッド２の中央ウェブ３における開口部８に近接する。
【００３６】
図５、図６、図１９、及び図２０に示すように、ブリッジコネクタ１９の第１側部フランジ３５は、好ましくは、ブリッジ部材１１の第１境界フランジ１７に対して接合する。図５、図６、図１９、及び図２０に示すように、好ましくは、ブリッジコネクタ１９の第１側部フランジ３５及びブリッジ部材１１の第１境界フランジ１７は、少なくとも部分的に非平行である。図５、図６、図１９、及び図２０に示すように、好ましくは、ブリッジコネクタ１９の第１側部フランジ３５は、ブリッジ部材１１に対向する第１内面３７を有し、第１側部フランジ３５の第１内面３７は、曲線凸部であり、ここにおいて、第１側部フランジ３５の第１内面３７は、ブリッジ部材１１の第１境界フランジ１７に対して接合する。また、第１側部フランジ３５は、第１内面３７の反対側の第１外面３８を有する。
【００３７】
図５、図６、図１９、及び図２０に示すように、ブリッジコネクタ１９の第２側部フランジ３５は、好ましくは、ブリッジ部材１１の第１境界フランジ１７に対して接合する。図５、図６、図１９、及び図２０に示すように、好ましくは、ブリッジコネクタ１９の第２側部フランジ３５及びブリッジ部材１１の第１境界フランジ１７は、少なくとも部分的に非平行である。図５、図６、図１９、及び図２０に示すように、好ましくは、ブリッジコネクタ１９の第２側部フランジ３５は、ブリッジ部材１１に対向する第２内面３７を有し、第２側部フランジ３５の第２内面３７は、曲線凸部であり、ここにおいて、第２側部フランジ３５の第２内面３７は、ブリッジ部材１１の第１境界フランジ１７に対して接合する。また、第２側部フランジ３５は、第２内面３７の反対側の第２外面３８を有する。
【００３８】
図５、図６、図１９、及び図２０に示すように、ブリッジコネクタ１９の第３側部フランジ３５は、好ましくは、ブリッジ部材１１の第２境界フランジ１７に対して接合する。図５、図６、図１９、及び図２０に示すように、好ましくは、ブリッジコネクタ１９の第３側部フランジ３５及びブリッジ部材１１の第２境界フランジ１７は、少なくとも部分的に非平行である。図５、図６、図１９、及び図２０に示すように、好ましくは、ブリッジコネクタ１９の第３側部フランジ３５は、ブリッジ部材１１に対向する第３内面３７を有し、第３側部フランジ３５の第３内面３７は、曲線凸部であり、ここにおいて、第３側部フランジ３５の第３内面３７は、ブリッジ部材１１の第２境界フランジ１７に対して接合する。また、第３側部フランジ３５は、第３内面３７の反対側の第３外面３８を有する。
【００３９】
図５、図６、図１９、及び図２０に示すように、ブリッジコネクタ１９の第４側部フランジ３５は、好ましくは、ブリッジ部材１１の第２境界フランジ１７に対して接合する。図５、図６、図１９、及び図２０に示すように、好ましくは、ブリッジコネクタ１９の第４側部フランジ３５及びブリッジ部材１１の第２境界フランジ１７は、少なくとも部分的に非平行である。図５及び図６に示すように、好ましくは、ブリッジコネクタ１９の第４側部フランジ３５は、ブリッジ部材１１に対向する第４内面３７を有し、第４側部フランジ３５の第４内面３７は、曲線凸部であり、ここにおいて、第４側部フランジ３５の第４内面３７は、ブリッジ部材１１の第２境界フランジ１７に対して接合する。また、第４側部フランジ３５は、第４内面３７の反対側の第４外面３８を有する。
【００４０】
図４に示すように、ブリッジコネクタ１９は、好ましくは、１つの締め具８１のみでブリッジ部材１１に対して締結されるが、２つ以上の締め具８１でブリッジ部材に対して締結されてもよい。ブリッジコネクタ１９は、また、壁スタッド２に対して締結可能なように形成されてもよい。
【００４１】
図１〜図１３及び図１８〜図２０に示すように、好ましくは、ブリッジコネクタ１９の第１本体部２０は、剛性の向上のために張り出す。第２本体部２０は、好ましくは、剛性の向上のために張り出す。好ましくは、第１本体部２０及び第２本体部２０は、１つの補強隆起部１３２を共有する。最も好ましくは、当該１つの補強隆起部１３２は、八角形である。補強隆起部１３２によって、ブリッジコネクタ１９が非常に軽い２０ゲージの板金から形成可能であり、補強隆起部１３２無しでは、ブリッジコネクタ１９は、１８ゲージの板金から形成する必要があり、当該１８ゲージの板金は、非常に厚く、形成するために多くの力、ひいてはエネルギー、を要する。好ましくは、補強隆起部１３２は、ブリッジ部材１１の長手方向軸に対して平行な対向辺を有するような向きの、正八角形である。
【００４２】
図１４及び図１５に示すように、本発明のブリッジコネクタ１９は、好ましくは、まず板金ブランク１３１を選択し、続いてブリッジコネクタ１９の外縁輪郭部１３３を切断することによって形成される。
【００４３】
図１４及び図１５に示すように、好ましくは、外縁輪郭部１３３は、細長い第１ウェブ接合切込み１３４と、ネック３２によって連結される第１本体部２０及び第２本体部２０と、を備える。
【００４４】
図１４及び図１５に示すように、細長い第１ウェブ接合切込み１３４は、好ましくは、第１外側角部１３５と、第１外側角部１３５から第１最内点１３７に延びる第１縁部１３６と、最内点１３７から第２外側角部１３５に延びる第２縁部１３６と、を有する。第１縁部１３６の大部分及び第２縁部１３６の大部分は、互いに平行である。
【００４５】
図１４及び図１５に示すように、好ましくは、第１本体部２０は、細長い第１ウェブ接合切込み１３４の第１縁部１３６と少なくとも部分的に一致する第１内側縁部２３によって境界される中央部１１１を有する。第２本体部２０は、好ましくは、細長い第１ウェブ接合切込み１３４の第２縁部１３６と少なくとも部分的に一致する第２内側縁部２３によって境界される中央部１１１を有する。
【００４６】
図１４及び図１６に示すように、ブリッジコネクタ１９を形成するための次の工程は、好ましくは、第１本体部２０の第１の部分を屈曲することによって、第１境界屈曲部３３と、第１境界屈曲部３３に沿って第１本体部２０の中央部１１１に対して連結される第１側部フランジ３５と、を形成する工程である。
【００４７】
図１４〜図１７に示すように、好ましくは、第１境界屈曲部３３と少なくとも部分的に一致する、細長い第１ウェブ接合切込み１３４の第１縁部１３６の一部は、細長い第１ウェブ接合切込み１３４の第２縁部１３６から離れて弧を描く。これは、細長い第１ウェブ接合切込み１３４の第２縁部１３６に向かって開口する略楕円弧状の縁部１３８を規定する。これは、凹状縁部１３８である。
【００４８】
図１４〜図１７に示すように、上述の方法は、好ましくは、中央補強隆起部１３２を張り出す工程を含む。図１４〜図１７に示すように、好ましくは、上述の方法は、板金ブランク１３１において１つ又は複数の締結開口部８２を開ける工程を含む。
【００４９】
図１４〜図１７に示すように、上述の方法は、好ましくは、ブリッジコネクタ１９の外縁輪郭部１３３において細長い第２ウェブ接合切込み１３４を形成する工程を含む。細長い第２ウェブ接合切込み１３４は、第３外側角部１３５と、第３外側角部１３５から第２最内点１３７に延びる第３縁部１３６と、第２最内点１３７から第４外側角部１３５に延びる第４縁部１３６と、を有し、第３縁部１３６の大部分及び第４縁部１３６の大部分は、互いに平行である。ウェブ接合切込み１３４は、壁スタッドの中央ウェブ３よりも幅が広く、これは、乾式壁スタッド２の中央ウェブ３が非常に薄く（通常、０．０１５インチ（０．０３８１ｃｍ）〜０．０３４インチ（０．０８６３６ｃｍ））、自動ダイプレスを用いて狭くなるスロットを切込み形成することは、不可能でないにしても実現困難である。
【００５０】
図１４〜図１７に示すように、好ましくは、上述の方法は、細長い第１ウェブ接合切込み１３４と細長い第２ウェブ接合切込み１３４との間にネック３２を形成する工程を含む。
【００５１】
図１４、図１６、及び図１７に示すように、上述の方法は、好ましくは、第１本体部２０の第２の部分を屈曲することによって、第３境界屈曲部３３と、第３境界屈曲部３３に沿って第１本体部２０の中央部１１１に対して連結される第３側部フランジ３５と、を形成する工程を含む。第３境界屈曲部３３と少なくとも部分的に一致する、細長い第２ウェブ接合切込み１３４の第３縁部１３６の一部は、細長い第２ウェブ接合切込み１３４の第４縁部１３６から離れて弧を描く。これによって、細長い第２ウェブ接合切込み１３４の第４縁部１３６に向かって開口する略楕円弧状の縁部１３８となる。これは、凹状縁部１３８である。
【００５２】
図１４、図１６、及び図１７に示すように、好ましくは、上述の方法は、第２本体部２０の第１の部分を屈曲することによって、第２境界屈曲部３３と、第２境界屈曲部３３に沿って第２本体部２０の中央部１１１に対して連結される第２側部フランジ３５と、を形成する工程を含む。
【００５３】
図１４、図１６、及び図１７に示すように、好ましくは、上述の方法は、第２本体部２０の第２の部分を屈曲することによって、第４境界屈曲部３３と、第４境界屈曲部３３に沿って第２本体部２０の中央部１１１に対して連結される第４側部フランジ３５と、を形成する工程を含む。
【００５４】
図１９及び図２０に示すように、代替的な好適実施例において、本発明は、略垂直な壁スタッド２と、略水平なブリッジ部材１１と、壁スタッド２の中央ウェブ３に当接しブリッジ部材１１に締結されるブリッジコネクタ１９と、を備える建造物接続体１である。
【００５５】
図１９及び図２０に示すように、略垂直な壁スタッド２は、好ましくは、開口部８を有する中央ウェブ３と、中央ウェブ３に対して一体的に取り付けられる第１側部フランジ９と、中央ウェブ３に対して一体的に取り付けられる第２側部フランジ９と、を有する。
【００５６】
図１９及び図２０に示すように、略水平なブリッジ部材１１は、好ましくは、少なくとも部分的に平面状の中間ウェブ１２と、少なくとも部分的に平面状の第１境界フランジ１７と、少なくとも部分的に平面状の第２境界フランジ１７と、を有する。好ましくは、少なくとも部分的に平面状の中間ウェブ１２は、第１境界１３と、第２境界１３と、内面１５と、外面１６と、を有する。好ましくは、少なくとも部分的に平面状の第１境界フランジ１７は、第１境界１３において、中間ウェブ１２に対して角度をなして連結され、中間ウェブ１２から延びている。第１境界フランジ１７は、内面７１と外面７２とを有する。好ましくは、少なくとも部分的に平面状の第２境界フランジ１７は、第２境界１３において、中間ウェブ１２に対して角度をなして連結され、中間ウェブ１２から延びている。第２境界フランジ１７は、第１境界フランジ１７の内面７１に向かって対向する内面７１と、第１境界フランジ１７の外面７２と反対に向く外面７２と、を有する。好ましくは、ブリッジ部材１１の第１及び第２境界フランジ１７は、それぞれ、互いに平行な第１及び第２外側縁部７５を有する。
【００５７】
図１８〜図２０に示すように、ブリッジコネクタ１９は、好ましくは、第１本体部２０と、第２本体部２０と、第１ウェブ接合切込み１３４と、第２ウェブ接合切込み１３４と、第１及び第２ウェブ接合切込み１３４の間で第２本体部２０に対して第１本体部２０を連結するネック３２と、を有する。
【００５８】
図１８〜図２０に示すように、第１本体部は、好ましくは、第１内側縁部２３と、第１外側縁部１０１と、第１内側縁部２３及び第１境界屈曲部３３によって少なくとも部分的に境界される中央部１１１と、第１境界屈曲部３３に沿って中央部１１１に対して連結される第１側部フランジ３５と、を有する。第１側部フランジ３５は、壁スタッド２の中央ウェブ３に当接する第１内側端縁部１０３を有する。第１内側端縁部１０３は、第１本体部２０の第１内側縁部２３と少なくとも部分的に一致する。
【００５９】
図１８〜図２０に示すように、第２本体部２０は、好ましくは、第２内側縁部２３と、第２外側縁部１０１と、を有する。
【００６０】
図１８〜図２０に示すように、好ましくは、第１ウェブ接合切込み１３４は、第１本体部２０の第１内側縁部２３の一部と少なくとも部分的に一致する第１縁部１３６を有する。第１縁部１３６は、第１外側角部１３５から、第１縁部１３６が第２縁部１３６に連結する第１最内点１３７に向かって延びる。第２縁部１３６は、第２本体部２０の第２内側縁部２３の一部と少なくとも部分的に一致する。第２縁部１３６は、第２外側角部１３５から、第１最内点１３７に向かって延びる。
【００６１】
図１８〜図２０に示すように、第２ウェブ接合切込み１３４は、好ましくは、第１本体部２０の第１内側縁部２３の一部と少なくとも部分的に一致する第３縁部１３６を有する。第３縁部１３６は、第３外側角部１３５から、第３縁部１３６が第４縁部１３６に連結する第２最内点１３７に向かって延びる。第４縁部１３６は、第２本体部２０の第２内側縁部２３の一部と少なくとも部分的に一致する。第４縁部１３６は、第４外側角部１３５から、第２最内点１３７に向かって延びる。
【００６２】
図１８〜図２０に示すように、好ましくは、第１及び第２ウェブ接合切込み１３４は、第１ウェブ接合切込み１３４が、第２ウェブ接合切込み１３４よりも第１外側縁部１０１に近接するように、長手方向にオフセットし、第２ウェブ接合切込み１３４は、第１ウェブ接合切込み１３４よりも第２外側縁部１０１に近接することによって、略垂直の壁スタッド２の中央ウェブ３が、摩擦係合が増大した状態で、第１及び第２ウェブ接合切込み１３４によって保持される。
【図１】
2019019667.tif 000003
【図２】
2019019667.tif 000004
【図３】
2019019667.tif 000005
【図４】
2019019667.tif 000006
【図５】
2019019667.tif 000007
【図６】
2019019667.tif 000008
【図７】
2019019667.tif 000009
【図８】
2019019667.tif 000010
【図９】
2019019667.tif 000011
【図１０】
2019019667.tif 000012
【図１１】
2019019667.tif 000013
【図１２】
2019019667.tif 000014
【図１３】
2019019667.tif 000015
【図１４】
2019019667.tif 000016
【図１５】
2019019667.tif 000017
【図１６】
2019019667.tif 000018
【図１７】
2019019667.tif 000019
【図１８】
2019019667.tif 000020
【図１９】
2019019667.tif 000021
【図２０】
2019019667.tif 000022
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
建造物接続体（１）であって、
ａ．略垂直な壁スタッド（２）であって、
ｉ．開口部（８）と、第１側面（６）と、対向する第２側面（６）を有する中央ウェブ（３）と、
ｉｉ．前記中央ウェブ（３）に対して一体的に取り付けられる第１側部フランジ（９）と、そして
ｉｉｉ．前記中央ウェブ（３）に対して一体的に取り付けられる第２側部フランジ（９）と、を有する壁スタッド（２）と、
ｂ．前記壁スタッド（２）の中央ウェブ（３）の開口部（８）を貫通する、略水平な溝状のブリッジ部材（１１）と、
ｃ．前記壁スタッド（２）の中央ウェブ（３）に当接し、前記ブリッジ部材（１１）に対して固定されるブリッジコネクタ（１９）であって、
ｉ．第１本体部(２０)であって、
（ａ）第１内側縁部（２３）及び第１外側縁部（１０１）と、
（ｂ）前記第１内側縁部（２３）及び第１境界屈曲部（３３）によって少なくとも部分的に境界される中央部（１１１）と、を有する第１本体部（２０）と、
ｉｉ．第２内側縁部（２３）と第２外側縁部（１０１）とを有する第２本体部（２０）と、
ｉｉｉ．前記第１本体部（２０）の第１内側縁部（２３）の一部と少なくとも部分的に一致する第１縁部（１３６）を有する第１ウェブ接合切込み（１３４）であって、
前記第１縁部（１３６）は、前記第１縁部（１３６）が第２縁部（１３６）に連結し、第１最内点（１３７）から前記第１側部フランジ（３５）に向かって延び、前記第２縁部（１３６）は、前記第２本体部（２０）の第２内側縁部（２３）の一部と少なくとも部分的に一致し、前記第２縁部（１３６）は、前記第１最内点（１３７）から延び、前記第１縁部（１３６）は、前記中央ウェブ（２）の第１側面（６）に面し、そして前記第２縁部（２３６）は、前記中央ウェブ（３）の対向する第２側面（６）に面する、第１ウェブ接合切込み（１３４）と、
ｉｖ）前記第１本体部分（２０）の第１内側縁部（２３）の一部と少なくとも部分的に一致する第３縁部（１３６）を有する第２のウェブ接合切込み（２３４）であって、前記第３縁部（１３６）は、第２最内点（２３７）から延び、第４縁部（１３６）に連結し、前記第４縁部（１３６）は、前記第２本体部（２０）の第２内側縁部（２３）の一部と少なくとも部分的に一致し、前記第４縁部（１３６）は、前記第２最内点（２３７）から延び、前記第３縁部（１３６）は、前記中央ウェブ（２）の第１側面（６）に面し、前記第４縁部（１３６）は、前記中央ウェブ（３）の対向する第２側面（９６）に面する、第２のウェブ接合切込み（２３４）と、
ｖ）前記第１及び第２ウェブ接合切込み（１３４）の間において、前記第２本体部（２０）に対して前記第１本体部（２０）を連結するネック（３２）であって、
（ａ）前記第１及び第２ウェブ接合切込み（１３４）は、前記第１ウェブ接合切込み（１３４）が、前記第２ウェブ接合切込み（１３４）よりも前記第１外側縁部（１０１）に近接し、前記第２ウェブ接合切込み（１３４）が、前記第１ウェブ接合切込み（１３４）よりも前記第２外側縁部（１０１）に近接するように、そして前記略垂直の壁スタッド（２）の中央ウェブ（３）が、摩擦係合が増大した状態で、前記第１及び第２ウェブ接合切込み（１３４）によって保持されるように、長手方向にオフセットされる、ネック（３２）と、
を備える建造物接続体（１）。
【請求項２】
ａ．前記第１境界屈曲部（３３）に沿って前記中央部（１１１）に対して連結される第１側部フランジ（３５）は、前記壁スタッド（２）の中央ウェブ（３）の前記第１側面（６）に当接する第１内側端縁部（１０３）を有し、前記第１内側端縁部（１０３）は、前記第１本体部（２０）の第１内側縁部（２３）と少なくとも部分的に一致し、
ｂ．前記第２縁部（１３６）は、前記中央ウェブ（３）の対向する第２側面（６）と少なくとも部分的に並んで延び、そして前記第１縁部（１３６）の一部は、前記壁スタッド（２）の中央ウェブ（３）から離れて弧を描き、前記壁スタッド（２）の前記中央ウェブ（３）に向かって開口し、当該中央ウェブ（３）に対して当接しない略楕円弧状の縁部（１３８）を規定する、請求項１に記載の建造物接続体（１）。
【請求項３】
ａ．前記略楕円弧状の縁部（１３８）は、前記第１境界屈曲部（３３）と少なくとも部分的に一致する、請求項２に記載の建造物接続体（１）。
【請求項４】
ａ．前記第４縁部（１３６）は、前記中央ウェブ（３）の対向する第２側面（６）と少なくとも部分的に並んで延びる、請求項２に記載の建造物接続体（１）。
【請求項５】
前記ブリッジコネクタ（１９）の第１本体部（２０）は、
ａ．前記第１本体部（２０）の中央部（１１１）を境界する第３境界屈曲部（３３）と、前記第３境界屈曲部（３３）に沿って前記中央部（１１１）に対して連結される第３側部フランジ（３５）と、をさらに備え、前記第３側部フランジ（３５）は、前記壁スタッド（２）の中央ウェブ（３）の前記第１側面（６）に当接する第３内側端縁部（１０３）を有し、前記第３内側端縁部（１０３）は、前記第１本体部（２０）の第１内側縁部（２３）と少なくとも部分的に一致する、請求項４に記載の建造物接続体（１）。
【請求項６】
ａ．前記第２ウェブ接合切込み（１３４）の第３縁部（１３６）の一部は、前記壁スタッド（２）の中央ウェブ（３）から離れて弧を描き、前記壁スタッド（２）の中央ウェブ（３）に向かって開口し、前記中央ウェブ（３）に対して当接しない略楕円弧状の縁部（１３８）を規定する、請求項５に記載の建造物接続体（１）。
【請求項７】
ａ．前記第３縁部（１３６）の前記略楕円弧状の縁部（１３８）は、前記第３境界屈曲部（３３）と少なくとも部分的に一致する、請求項６に記載の建造物接続体（１）。
【請求項８】
ａ．前記ブリッジコネクタ（１９）の第２本体部（２０）は、
ｉ．前記第２内側縁部（２３）及び第２境界屈曲部（３３）によって少なくとも部分的に境界される、中央部（１１１）と、
ｉｉ．前記第２境界屈曲部（３３）に沿って前記中央部（１１１）に対して連結される第２側部フランジ（３５）であって、前記壁スタッド（２）の中央ウェブ（３）の対向する第２側面（６）に当接する第２内側端縁部（１０３）を有し、前記第２内側端縁部（１０３）は、前記第２本体部（２０）の第２内側縁部（２３）と少なくとも部分的に一致し、前記第２縁部（１３６）は、前記第１最内点（１３７）から前記第２側部フランジ（３５）に延びる、第２側部フランジ（３５）と、をさらに備える、請求項２に記載の建造物接続体（１）。
【請求項９】
ａ．前記第１側部フランジ（３５）の第１内側端縁部（１０３）は、前記第１縁部（１３６）の一部と少なくとも部分的に一致し、前記第１内側端縁部（１０３）は、前記壁スタッド（２）の中央ウェブ（３）に対して当接する前記第１縁部（１３６）の唯一の部分であり、
ｂ．前記第２側部フランジ（３５）の第２内側端縁部（１０３）は、前記第２縁部（１３６）の一部と少なくとも部分的に一致し、前記第２内側端縁部（１０３）は、前記壁スタッド（２）の中央ウェブ（３）に対して当接する前記第２縁部（１３６）の唯一の部分である、請求項８に記載の建造物接続体（１）。
【請求項１０】
ａ．前記ブリッジコネクタ（１９）の第２本体部（２０）は、前記第２本体部（２０）の中央部（１１１）を境界する第４境界屈曲部（３３）と、前記第４境界屈曲部（３３）に沿って前記中央部（１１１）に対して連結される第４側部フランジ（３５）と、をさらに備え、前記第４側部フランジ（３５）は、前記壁スタッド（２）の中央ウェブ（３）の対向する第２側面（６）に当接する第４内側端縁部（１０３）を有し、前記第４内側端縁部（１０３）は、前記第２本体部（２０）の第２内側縁部（２３）と少なくとも部分的に一致し、前記第４縁部（１３６）は、前記第２最内点（１３７）から前記第４側部フランジ（３５）に向かって延び、
ｂ．前記ブリッジコネクタ（１９）の第１本体部（２０）は、
ｉ．前記第１本体部（２０）の中央部（１１１）を境界する第３境界屈曲部（３３）と、
ｉｉ．前記第３境界屈曲部（３３）に沿って前記中央部（１１１）に対して連結される第３側部フランジ（３５）と、をさらに備え、
前記第３側部フランジ（３５）は、前記壁スタッド（２）の中央ウェブ（３）の前記第１側面（６）に当接し、前記第３内側端縁部（１０３）は、前記第１本体部（２０）の第１内側縁部（２３）と少なくとも部分的に一致する、請求項９に記載の建造物接続体（１）。
【請求項１１】
ａ．前記第３側部フランジ（３５）の第３内側端縁部（１０３）は、前記第３縁部（１３６）の一部と少なくとも部分的に一致し、前記第３内側端縁部（１０３）は、前記壁スタッドの中央ウェブ（３）に対して当接する前記第３縁部（１３６）の唯一の部分であり、
ｂ．前記第４側部フランジ（３５）の第４内側端縁部（１０３）は、前記第４縁部（１３６）の一部と少なくとも部分的に一致し、前記第４内側端縁部（１０３）は、前記壁スタッド（２）の中央ウェブ（３）に対して当接する前記第４縁部（１３６）の唯一の部分である、請求項１０に記載の建造物接続体（１）。
【請求項１２】
ａ．前記ブリッジコネクタ（１９）の第１及び第２側部フランジ（３５）における前記第１及び第２内側端縁部（１０３）の一方は、前記第１及び第２内側端縁部（１０３）の他方に比べて前記壁スタッド（２）の中央ウェブ（３）における前記開口部（８）に近接する、請求項１１に記載の建造物接続体（１）。
【請求項１３】
ａ．前記ブリッジコネクタ（１９）の第３及び第４側部フランジ（３５）における前記第３及び第４内側端縁部（１０３）の一方は、前記第３及び第４内側端縁部（１０３）の他方に比べて前記壁スタッド（２）の中央ウェブ（３）における前記開口部（８）に近接する、請求項１２に記載の建造物接続体（１）。
【請求項１４】
ａ．前記ブリッジコネクタ（１９）の第１側部フランジ（３５）が前記ブリッジ部材（１１）と接合し、
ｂ．前記ブリッジコネクタ（１９）の第２側部フランジ（３５）が前記ブリッジ部材（１１）と接合し、
ｃ．前記ブリッジコネクタ（１９）の第３側部フランジ（３５）が前記ブリッジ部材（１１）と接合し、そして
ｄ．前記ブリッジコネクタ（１９）の第４側部フランジ（３５）が前記ブリッジ部材（１１）と接合する、請求項１０に記載の建造物接続体（１）。
【請求項１５】
ａ．前記ブリッジコネクタ（１９）の第１側部フランジ（３５）及び前記ブリッジ部材（１１）は、少なくとも部分的に非平行であり、
ｂ．前記ブリッジコネクタ（１９）の第２側部フランジ（３５）及び前記ブリッジ部材（１１）は、少なくとも部分的に非平行であり、
ｃ．前記ブリッジコネクタ（１９）の第３側部フランジ（３５）及び前記ブリッジ部材（１１）は、少なくとも部分的に非平行であり、そして
ｄ．前記ブリッジコネクタ（１９）の第４側部フランジ（３５）及び前記ブリッジ部材（１１）は、少なくとも部分的に非平行である、請求項１４に記載の建造物接続体（１）。
【請求項１６】
ａ．前記ブリッジコネクタ（１９）の第１側部フランジ（３５）は、前記ブリッジ部材（１１）に対向する第１内面（３７）を有し、前記第１側部フランジ（３５）の第１内面（３７）は、曲線凸部であり、前記第１側部フランジ（３５）の第１内面（３７）は、前記ブリッジ部材（１１）に対して接合し、
ｂ．前記ブリッジコネクタ（１９）の第２側部フランジ（３５）は、前記ブリッジ部材（１１）に対向する第２内面（３７）を有し、前記第２側部フランジ（３５）の第２内面（３７）は、曲線凸部であり、前記第２側部フランジ（３５）の第２内面（３７）は、前記ブリッジ部材（１１）に対して接合し、
ｃ．前記ブリッジコネクタ（１９）の第３側部フランジ（３５）は、前記ブリッジ部材（１１）に対向する第３内面（３７）を有し、前記第３側部フランジ（３５）の第３内面（３７）は、曲線凸部であり、前記第３側部フランジ（３５）の第３内面（３７）は、前記ブリッジ部材（１１）に対して接合し、
ｄ．前記ブリッジコネクタ（１９）の第４側部フランジ（３５）は、前記ブリッジ部材（１１）に対向する第４内面（３７）を有し、前記第４側部フランジ（３５）の第４内面（３７）は、曲線凸部であり、前記第４側部フランジ（３５）の第４内面（３７）は、前記ブリッジ部材（１１）に対して接合する、請求項１５に記載の建造物接続体（１）。
【請求項１７】
前記ブリッジコネクタ（１９）は、１つの締め具（８１）のみで前記ブリッジ部材（１１）に対して締結される、請求項２に記載の建造物接続体（１）。
【請求項１８】
前記第１本体部（２０）及び第２本体部（２０）は、１つの補強隆起部（１３２）を共有する、請求項２に記載の建造物接続体（１）。
【請求項１９】
前記１つの補強隆起部（１３２）は、八角形である、請求項１８に記載の建造物接続体（１）。
【請求項２０】
ａ．前記第１側部フランジ（３５）は、前記第１境界屈曲部（３３）に沿って前記中央部（１１１）に対して連結され、前記壁スタッド（２）の中央ウェブ（３）の第１側面（６）に当接する第１内側端縁部（１０３）を有し、前記第１内側端縁部（１０３）は、前記第１本体部（２０）の第１内側縁部（２３）と少なくとも部分的に一致し、
ｂ．前記中央部（１１１）は、前記第２内側縁部（２３）及び第２境界屈曲部（３３）によって少なくとも部分的に境界され、
ｃ．前記第２側部フランジ（３５）は、前記第２境界屈曲部（３３）に沿って前記中央部（１１１）に対して連結され、前記壁スタッド（２）の中央ウェブ（３）に当接する第２内側端縁部（１０３）を有し、前記第２内側端縁部（１０３）は、前記第２本体部（２０）の第２内側縁部（２３）と少なくとも部分的に一致し、
ｄ．前記第２縁部（１３６）は、前記中央ウェブ（３）の対向する第２側面（６）と少なくとも部分的に並んで延び、
１．前記第１縁部（１３６）の一部は、前記壁スタッド（２）の中央ウェブ（３）から離れて弧を描き、前記壁スタッド（２）の中央ウェブ（３）に向かって開口し、前記中央ウェブ（３）に当接しない、略楕円弧状の縁部１３８を規定し、
２．前記第１側部フランジ（３５）の第１内側端縁部（１０３）は、前記第１縁部（１３６）の一部と少なくとも部分的に一致し、前記第１内側端縁部（１０３）は、前記壁スタッドの中央ウェブ（３）に対して当接する前記第１縁部（１３６）の唯一の部分であり、
３．前記第２側部フランジ（３５）の第２内側端縁部（１０３）は、前記第２縁部（１３６）の一部と少なくとも部分的に一致し、前記第２内側端縁部（１０３）は、前記壁スタッドの中央ウェブ（３）に対して当接する前記第２縁部（１３６）の唯一の部分である、請求項１に記載の建造物接続体（１）。
【請求項２１】
ａ．前記略楕円弧状の縁部（１３８）は、前記第１境界屈曲部（３３）と少なくとも部分的に一致する、請求項２０に記載の建造物接続体（１）。
【請求項２２】
ａ．前記ブリッジコネクタ（１９）の第１本体部（２０）は、前記第１本体部（２０）の中央部（１１１）を境界する第３境界屈曲部（３３）と、前記第３境界屈曲部（３３）に沿って前記中央部（１１１）に対して連結される第３側部フランジ（３５）と、をさらに備え、前記第３側部フランジ（３５）は、前記壁スタッド（２）の中央ウェブ（３）に当接する第３内側端縁部（１０３）を有し、前記第３内側端縁部（１０３）は、前記第１本体部（２０）の第１内側縁部（２３）と少なくとも部分的に一致する、請求項２２に記載の建造物接続体（１）。
【請求項２３】
ａ．前記第２ウェブ接合切込み（１３４）の第３縁部（１３６）の一部は、前記壁スタッド（２）の中央ウェブ（３）から離れて弧を描き、前記壁スタッド（２）の中央ウェブ（３）に向かって開口し、前記中央ウェブ（３）に対して当接しない、略楕円弧状の縁部（１３８）を規定する、請求項２２に記載の建造物接続体（１）。
【請求項２４】
ａ．前記第３縁部（１３６）の前記略楕円弧状の縁部（１３８）は、前記第３境界屈曲部（３３）と少なくとも部分的に一致する、請求項２３に記載の建造物接続体（１）。
【請求項２５】
ａ．前記ブリッジコネクタ（１９）の前記第２本体部（２０）は、前記第２本体部（２０）の中央部（１１１）を境界する第４境界屈曲部（３３）と、前記第４境界屈曲部（３３）に沿って前記中央部（１１１）に対して連結される第４側部フランジ（３５）と、をさらに備え、前記第４側部フランジ（３５）は、前記壁スタッド（２）の中央ウェブ（３）に当接する第４内側端縁部（１０３）を有し、前記第４内側端縁部（１０３）は、前記第２本体部（２０）の第２内側縁部（２３）と少なくとも部分的に一致する、請求項２３に記載の建造物接続体（１）。
【請求項２６】
ａ．前記第３側部フランジ（３５）の第３内側端縁部（１０３）は、前記第３縁部（１３６）の一部と少なくとも部分的に一致し、前記第３内側端縁部（１０３）は、前記壁スタッドの中央ウェブ（３）に対して当接する前記第３縁部（１３６）の唯一の部分であり、
ｂ．前記第４側部フランジ（３５）の第４内側端縁部（１０３）は、前記第４縁部（１３６）の一部と少なくとも部分的に一致し、前記第４内側端縁部（１０３）は、前記壁スタッドの中央ウェブ（３）に対して当接する前記第４縁部（１３６）の唯一の部分である、請求項２５に記載の建造物接続体（１）。
【請求項２７】
ａ．前記ブリッジコネクタ（１９）の第１及び第２側部フランジ（３５）における前記第１及び第２内側端縁部（１０３）の一方は、前記第１及び第２内側端縁部（１０３）の他方に比べて前記壁スタッド（２）の中央ウェブ（３）における前記開口部（８）に近接する、請求項２３に記載の建造物接続体（１）。
【請求項２８】
ａ．前記ブリッジコネクタ（１９）の第３及び第４側部フランジ（３５）における前記第３及び第４内側端縁部（１０３）の一方は、前記第３及び第４内側端縁部（１０３）の他方に比べて前記壁スタッド（２）の中央ウェブ（３）における前記開口部（８）に近接する、請求項２５に記載の建造物接続体（１）。